(57)【特許請求の範囲】
【請求項１】
ノズルから噴出される燃料ガスおよび一次空気を流入口から取り入れて、その混合ガスを燃焼する複数個のバーナと、
それぞれのバーナの流入口に対応する開口部をそれぞれ形成して、上記各バーナの流入口への一次空気の流入量を所定値に設定する給気ダンパと、
上記各バーナへ燃焼用空気を供給するファンと、
上記各バーナの流入口と上記給気ダンパとが自身の前面に位置するように、各バーナと上記給気ダンパとを収納して上記ファンに連通させる燃焼ケーシングと、
上記給気ダンパに重合する重合面を備え、この重合面に上記ダンパの開口部に対応する切り欠き部を形成するとともに、上記重合面を上記ダンパに対して上下方向にずらすことにより、上記給気ダンパの各開口部の面積を変更して一次空気の流入量を設定変更する一次空気調整板と、
上記燃焼ケーシングの前面を覆う前板を備えた強制燃焼式の燃焼装置において、
上記ダンパには、左右一組のねじ孔が設けられ、
上記一次空気調整板には、上記ダンパのねじ孔と共にねじ止めされて位置決めされる位置決め用ねじ孔が、上記バーナの流入口への一次空気の設定流入量に応じて上下に複数組設けられるとともに、重合面を上下にずらし操作するための爪部が前板に向けて突出するように設けられ、
上記前板には、上記ダンパのねじ孔と、上記一次空気調整板の爪部の前方位置に、上記一次空気調整板のずらし操作を行うためのメンテナンス孔が設けられることを特徴とする強制燃焼式の燃焼装置。
【発明の詳細な説明】
【０００１】
【発明の属する技術分野】
本発明はファンにより給気または排気する強制燃焼式の燃焼装置に関し、詳しくはガス種転換に対応する強制燃焼式の燃焼装置に関する。
【０００２】
【従来の技術】
従来より、良好な燃焼状態を得るために、燃料ガスの供給量に対する一次空気量が所定値となるように一次空気量を規制する給気ダンパの開度が適切に設定されている。この一次空気量が所定範囲から外れると、炎がリフティングしたりバックファイアあるいは不完全燃焼等の異常燃焼を生じる。
【０００３】
一方、ガス供給会社では、供給ガスを発熱量の大きな天然ガスに転換することが行われており、供給ガスを転換する前には、正常燃焼をさせるために機器の給気ダンパを適切な開度に設定変更をしなければならない（以下、機器の適用ガス種を変更する改造作業を「ガス種転換」と呼ぶ）。
【０００４】
【発明が解決しようとする課題】
しかしながら、このような強制燃焼式の燃焼装置では、ガス種転換時に、給気ダンパ開度を設定変更するのに手間を要してしまう問題があった。
例えば、従来の給湯器では、一次空気量を設定し直すのに、バーナを収納する密閉された燃焼ケーシングを開けて燃料ガス噴出孔を備えたノズル台を取り外した後、ノズル台とバーナ間に設けられる給気ダンパを交換しなければならなかった。
このため、多くの取り付けビスを取り外し、取り付ける必要があった。
しかも、ガス種転換時に、燃焼ケーシングのシールパッキン等を損傷して密閉性を損ねるおそれもあった。
また、ガス流路であるノズル台等を取り外すことで、再取り付け後に、ガス漏れがないことを確認する作業も必要であった。
そこで、本発明の強制燃焼式の燃焼装置は、上記課題を解決し、ガス種転換時に一次空気量の設定変更を容易にすることを目的とする。
【０００５】
【課題を解決するための手段】
上記課題を解決する本発明の請求項１記載の強制燃焼式の燃焼装置は、
ノズルから噴出される燃料ガスおよび一次空気を流入口から取り入れて、その混合ガスを燃焼する複数個のバーナと、
それぞれのバーナの流入口に対応する開口部をそれぞれ形成して、上記各バーナの流入口への一次空気の流入量を所定値に設定する給気ダンパと、
上記各バーナへ燃焼用空気を供給するファンと、
上記各バーナの流入口と上記給気ダンパとが自身の前面に位置するように、各バーナと上記給気ダンパとを収納して手上記ファンに連通させる燃焼ケーシングと、
上記給気ダンパに重合する重合面を備え、この重合面に上記ダンパの開口部に対応する切り欠き部を形成するとともに、上記重合面を上記ダンパに対して上下方向にずらすことにより、上記給気ダンパの各開口部の面積を変更して一次空気の流入量を設定変更する一次空気調整板と、
上記燃焼ケーシングの前面を覆う前板を備えた強制燃焼式の燃焼装置において、
上記ダンパには、左右一組のねじ孔が設けられ、
上記一次空気調整板には、上記ダンパのねじ孔と共にねじ止めされて位置決めされる位置決め用ねじ孔が、上記バーナの流入口への一次空気の設定流入量に応じて上下に複数組設けられるとともに、重合面を上下にずらし操作するための爪部が前板に向けて突出するように設けられ、
上記前板には、上記ダンパのねじ孔と、上記一次空気調整板の爪部の前方位置に、上記一次空気調整板のずらし操作を行うためのメンテナンス孔が設けられることを要旨とする。
【０００６】
上記構成を有する本発明の請求項１記載の強制燃焼式の燃焼装置は、燃料ガスのガス種転換時に、燃焼ケーシングに設けたメンテナンス孔から一次空気調整板の重合面をずらして給気ダンパによる流入口の開度を変更することにより、一次空気量を設定変更する。
従って、密閉された燃焼ケーシングを開けないでメンテナンス孔からバーナの一次空気量を設定変更できるため、燃焼ケーシングの密閉性を損ねないと共に、ガス種転換が容易になる。
【０００７】
【発明の実施の形態】
以上説明した本発明の構成・作用を一層明らかにするために、以下本発明の燃焼装置としての給湯器の好適な実施形態について説明する。
図１は一実施形態として給湯器の燃焼部１を示す概略図である。
この燃焼部１には、燃焼用空気を器体内へ送り込むファンＦと、燃料ガスを燃焼するバーナ１１と、燃焼熱を通水路内の通水に熱交換する熱交換器（図略）と、この熱交換器とバーナ１１間にはさまれた燃焼空間である燃焼室１０と、バーナ１１を収納して燃焼室１０を形成すると共にファンＦからバーナ１１への給気流路を形成する燃焼ケーシング１４とを備える。
また、燃焼ケーシング１４のバーナ１１正面側（図面左側）には、後述するバーナケース１１ｄにバーナ１１を収納したまま、引き出して修理できる正面開口部１４ａが設けられ、この正面開口部１４ａに前板１５が１２本のねじＳ１で止められる。
【０００８】
更に、バーナ１１には、放電によりガスへ着火する図示しない電極、燃焼炎を検知するフレームロッドが設けられる。これらはコントローラ９と電気的に接続され点火・出湯・停止等所定の制御が行われる。
【０００９】
バーナ１１は、燃焼に際して一次空気と二次空気とを必要とするブンゼン式バーナであり、２次空気が通過できるように所定間隔空けてバーナユニット１１ａが複数設けられ、バーナ１１下部には、燃焼ケーシング１４を仕切るように２次空気を通過させる多数の二次給気孔１６ａを備えた整流板１６が設けられ、これらがバーナケース１１ｄに一体に組込まれる。
また、個々のバーナユニット１１ａには、上面に複数のスリット溝を開口した炎孔面１１ｂと、下部に燃料ガスと空気とを混合した混合ガスが流入するスロート部１１ｃとが形成される。
このスロート部１１ｃの混合ガス流入口には、流入する一次空気を所定量に設定する円孔２ａを備えた給気ダンパ２が当接し、このスロート部１１ｃに向けてノズル台１２が設けられ、ノズル台１２には、燃料ガスの噴出孔であるノズル１２ａがスロート部１１ｃ毎に設けられる。
更に、給気ダンパ２には、図５に示すように、天然ガス用にガス種転換する際に、一次空気開度を天然ガス用に調整できる一次空気調節板３がねじ止めされる。
一次空気調節板３には、スロート部１１ｃ毎にＵ字状切り欠き孔３ｄが上端部に形成される。このＵ字状切り欠き孔３ｄの形状は左右で異なり、スロート部１１ｃ毎に開口面積を変えて、偏った位置に設けられるファンＦからの空気供給量を均一にしている。
また、ノズル台１２下部は、燃焼ケーシング１４の外の燃料ガス制御部（図略）に接続され、ノズル台１２下部にはノズルの交換をせずに燃料ガス量をワンタッチで設定変更できるガス量ワンタッチ絞り部１２ａが設けられる。
このガス量ワンタッチ絞り部１２ａには、ノズル台１２の下方に突き出た軸（図略）と、軸に直交するピン（図略）とが形成される。
ピンがノズル台１２の外から９０゜回転されると、ノズル台１２内部の流路開度が変更され、ノズルの交換をしないでも燃料ガス量が天然ガス用に設定変更される。
【００１０】
この一次空気調節板３は、図５に示すように、長ねじ５ａ、５ａに挿通されて給気ダンパ２のねじ止め部２ｂ、２ｂに固定されるねじ止め孔３ａ、３ｂをそれぞれ左右に上下一対備え、下のねじ止め孔３ｂ、３ｂに固定されると、図６に示すように、給気ダンパ２の円孔２ａ開度が狭められて所定のガス種用、例えば、都市ガスのガスグループＬ１（６Ｂ、６Ｃ、７Ｃ）用に一次空気量が設定され、上の孔３ａ、３ａに固定されると、図７に示すように、給気ダンパ２の円孔２ａ開度が全開となって（ガスグループ１３Ａである）天然ガス用に設定される。
更に、一次空気調節板３には、給気ダンパ２へ固定する際に、上下にずらし操作ができる爪部３ｃがスポット溶接されている。
また、前板１５の左右には、ガス種転換時に、ドライバーを挿通させて一次空気調節板３の長ねじ５ａ、５ａを脱着し、一次空気調節板３の爪部３ｃにドライバーを係止させてずらすことで給気ダンパ２の開度を設定変更できるメンテナンス孔４ａ、４ｂが開口し、ガス種転換後にこれらのメンテナンス孔４ａ、４ｂを閉じる塞ぎ板５が４本のねじＳ２で止められている。
【００１１】
次に、ガス種転換の手順を説明する。
まず、コントローラ９に接続される電源コード９ａのプラグを抜き、図示しない機器のフロントカバー（図略）を取り外す。
また、燃焼ケーシング１４の外から、ガス量ワンタッチ絞り部１２ａのピン（図略）を９０゜回転して、燃料ガス量を天然ガス用に設定変更する。
そして、前板１２の塞ぎ板５を取り外し、図３に示す左右のメンテナンス孔４ａ、４ｂからドライバーを挿通して一次空気調節板５の左右の長ねじ５ａ、５ａを取り外す（図４の（イ）→（ロ））。
更に、ドライバーをメンテナンス孔４ａ、４ｂに挿通してドライバーの先を一次空気調節板３の爪部３ｃに引っ掛け、燃焼ケーシング１４の底部１４ｂに当たるまで押し下げる（図４の（ハ）および図１）。
また、メンテナンス孔４ａ、４ｂから一次空気調節板３の上のねじ止め孔３ａ、３ａと給気ダンパ２のねじ止め部２ｂ、２ｂとが合致していることを確認し、外した長ねじ５ａ、５ａを再び取り付ける（図４の（ニ））。
従って、一次空気調節板３は、下のねじ止め孔３ｂから上のねじ止め孔３ａまでのピッチ分下方にずれて、半開きとなっていた給気ダンパ２の円孔２ａが全開にされる（図６→図７）。
そして、塞ぎ板５を元通りに前板１５にねじＳ２で取り付け、ファン風量や比例制御部等の設定をコントローラ９で設定変更する。
最後に、電源コード９ａのプラグを差し込み、図示しない運転スイッチをＯＮして燃焼を開始し、正常に運転されているか否かを確認して、機器のフロントカバーを取り付けて終了する。
【００１２】
以上説明したように、本実施形態の給湯器によれば、４本のねじＳ２でねじ止めされる塞ぎ板５を取り外し、開口した小さなメンテナンス孔４ａ、４ｂから給気ダンパ２開度の設定変更、即ち、一次空気量の設定変更を行うことができるため、ガス種転換時の手間が省ける。
即ち、ガス種転換時に、従来では、燃焼ケーシングを開けるのにビスを１２本、ノズル台を取り外すのにビスを４本、給気ダンパの交換にビスを２本の計１８本のビスを取り外し、ガス種転換終了後に同本数のビスを取り付ける必要があったのが、塞ぎ板５の４本のねじＳ２と、一次空気調節板３の２本の長ねじ５ａとの計６本のビスを取り外すだけで済む。従って、ねじ脱着の手間が省ける。
また、シール長さの大きな前板１５を取り外さないので、燃焼ケーシング１４の密閉性を低下させるおそれがほとんど無く、シール性の確認も簡略にできる。
更に、ガス種転換時にガス流路となるノズル台等を取り外さないので、ガス漏れがないことを確認する作業が不要となる。
【００１３】
以上、本発明の実施形態について説明したが、本発明はこうした実施形態に何等限定されるものではなく、本発明の趣旨を逸脱しない範囲において、種々なる態様で実施し得ることは勿論である。
例えば、ガス種が天然ガス用に転換されることに限定されず、他の燃料ガス種でも良い。
【００１４】
また、強制燃焼式の燃焼装置とは、強制排気式（ＦＥ）に限定されず、強制給排気式（ＦＦ）の燃焼装置であっても良い。
【００１５】
【発明の効果】
以上詳述したように、本発明の強制燃焼式の燃焼装置によれば、密閉された燃焼ケーシングを開けないでメンテナンス孔からバーナの一次空気量を設定変更できるため、燃焼ケーシングの密閉性を損ねないと共に、ガス種転換を容易にできるという優れた効果を奏する。
【図面の簡単な説明】
【図１】一実施形態としての燃焼装置の概略構成図である。
【図２】一実施形態としての燃焼装置の正面構造図である。
【図３】前板の塞ぎ板を取り外した図である。
【図４】メンテナンス孔における一次空気調節板のずらし操作を説明する図である。
【図５】一次空気調節板に関連する主な部品の斜視図である。
【図６】ガス種転換前における給気ダンパの開度を示す図である。
【図７】ガス種転換後における給気ダンパの開度を示す図である。
【符号の説明】
Ｆ      ファン
３      一次空気調節板
４      メンテナンス孔
５      塞ぎ板
１０      燃焼室
１１      バーナ
１２      ノズル台
１４      燃焼ケーシング
１５      前板
１６      整流板
【図１】
0004021082.tif 000002
【図２】
0004021082.tif 000003
【図３】
0004021082.tif 000004
【図４】
0004021082.tif 000005
【図５】
0004021082.tif 000006
【図６】
0004021082.tif 000007
【図７】
0004021082.tif 000008